【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
宅配業者のドライバーが荷送人からの荷物を荷受人に渡すときに、荷受人が荷物の代金をカードで決済するカード決済通信システムであって、
決済センターのサーバ、携帯電話機および携帯プリンタ装置からなり、
前記決済センターのサーバおよび携帯電話機は、少なくともインターネット網又は携帯電話網を介して通信可能に接続されており、
携帯電話機および携帯プリンタ装置は、それぞれ近距離無線通信インターフェースで通信可能な通信部を備えており、
前記携帯プリンタ装置は、さらに、印刷機およびカードリーダを備え、
前記携帯プリンタ装置は、
前記カードからカード情報を前記カードリーダによって読み込む手段と、
前記カード情報を、前記通信部によって前記近距離無線通信インターフェースで前記携帯電話機に送信させる手段と、
前記携帯電話機から決済情報を受信した場合には、前記印刷機によって明細書を発行させる手段と
を備え、
前記携帯電話機は、
前記携帯プリンタ装置から前記カード情報を受信した場合には、該カード情報を前記決済センターのサーバに送信する手段と、
前記決済センターのサーバから前記カード情報に係わる決済情報を受信した場合には、該決済情報を前記通信部によって前記近距離無線通信インターフェースで携帯プリンタ装置に送信させる手段と
を有することを特徴とするカード決済通信システム。
【請求項２】
少なくとも、荷物の集配にかかわる各種情報を送信可能な携帯用ＰＤＴ端末と、携帯電話機と、携帯プリンタ装置とからなる携帯システムで構成され、前記携帯用ＰＤＴ端末が携帯電話機を介して無線網でセンターのサーバとが通信を行うシステムであって、
前記携帯用ＰＤＴ端末、前記携帯電話機及び前記携帯プリンタ装置は、設定されたＩＰアドレスの相手とで近距離無線通信インターフェースで通信する第１の通信部をそれぞれ備えてなり、
前記携帯用ＰＤＴ端末は、
前記各種情報がカードで前記荷物の代金を支払うために前記サーバに送信して照会を受けるカード決済照会情報かどうかを判定し、該カード決済照会情報のときは、送信相手先を前記サーバのＩＰアドレスにした第１の上がり情報を生成する手段と、
前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、
前記第２の上がり情報を前記第１の通信部が受け取り可能な形式にした第３の上がり情報にして前記第１の通信部に送出する手段と、
前記第３の上がり情報に前記サーバのＩＰアドレスが含まれているときは、前記当該端末の第１の通信部に、前記携帯電話機のＩＰアドレスを設定し、また前記サーバから前記第３の上がり情報に対しての結果であるカード決済情報を前記当該端末の第１の通信部により受信したとき、該当該端末の第１の通信部に前記携帯プリンタ装置のＩＰアドレスを設定する手段と
を有し、
前記携帯プリンタ装置は、
前記カードの磁気データを読み取り可能なカードリーダを備え、
前記携帯電話機のＩＰアドレスを当該装置の前記第１の通信部に対して設定する手段と、
前記携帯用ＰＤＴ端末から当該装置の前記第１の通信部が前記カード決済の情報を受信したとき、前記カードリーダで読み込まれた前記磁気データに前記携帯用ＰＤＴ端末のＩＰアドレスを付加し、かつ前記当該装置の第１の通信部が読み取り可能な形式にして送出する手段と、
を有することを特徴とする携帯電話機を用いたカード決済通信システム。
【請求項３】
宅配業者のドライバーが荷送人からの荷物を荷受人に渡すときに、荷受人が荷物の代金をカードで決済するカード決済通信方法であって、
決済センターのサーバと携帯電話機とを、少なくともインターネット網又は携帯電話網を介して通信可能に接続し、さらに携帯電話機と、携帯可能なカードリーダおよび印刷機とを、近距離通信インターフェースで通信可能に接続した後、
前記カードリーダを用いて、前記荷受人のカードからカード情報を読み込み、ついで前記カード情報を前記携帯電話機に前記近距離通信インターフェースで送信する第１のステップと、
前記カードリーダから前記カード情報を前記携帯電話機が受信した後、前記携帯電話機を用いて、前記カード情報を前記決済センターのサーバに送信する第２のステップと、
前記決済センターのサーバから前記携帯電話機が前記決済情報を受信した後、前記携帯電話機を用いて、前記決済情報を前記近距離通信インターフェースで前記印刷機に送信する第３のステップと、
前記携帯電話機から前記決済情報を前記印刷機が受信した後、前記印刷機を用いて、前記決済情報の明細書を発行する第４のステップと
を行うことを特徴とするカード決済通信方法。
【手続補正２】
【補正対象書類名】明細書
【補正対象項目名】発明の名称
【補正方法】変更
【補正の内容】
【発明の名称】カード決済通信システム及びカード決済通信方法
【手続補正３】
【補正対象書類名】明細書
【補正対象項目名】０００１
【補正方法】変更
【補正の内容】
【０００１】
本発明は、カード決済通信システムに関し、特にカードで荷物の代金を決済するときに、使用する回線の種類をできるだけ少なくして費用を抑えることを可能とするシステムに関する。
【手続補正４】
【補正対象書類名】明細書
【補正対象項目名】００１７
【補正方法】変更
【補正の内容】
【００１７】
本発明は以上の課題を解決するためになされたもので、荷物のカード決済において、使用する回線の種類をできるだけ少なくすることで費用がかからないシステムを得ることを目的とする。
【手続補正５】
【補正対象書類名】明細書
【補正対象項目名】００１８
【補正方法】変更
【補正の内容】
【００１８】
本発明のカード決済通信システムおよびカード決済通信方法は、
［１］  宅配業者のドライバーが荷送人からの荷物を荷受人に渡すときに、荷受人が荷物の代金をカードで決済するカード決済通信システムであって、
決済センターのサーバ、携帯電話機および携帯プリンタ装置からなり、
前記決済センターのサーバおよび携帯電話機は、少なくともインターネット網又は携帯電話網を介して通信可能に接続されており、
携帯電話機および携帯プリンタ装置は、それぞれ近距離無線通信インターフェースで通信可能な通信部を備えており、
前記携帯プリンタ装置は、さらに、印刷機およびカードリーダを備え、
前記携帯プリンタ装置は、
前記カードからカード情報を前記カードリーダによって読み込む手段と、
前記カード情報を、前記通信部によって前記近距離無線通信インターフェースで前記携帯電話機に送信させる手段と、
前記携帯電話機から決済情報を受信した場合には、前記印刷機によって明細書を発行させる手段と
を備え、
前記携帯電話機は、
前記携帯プリンタ装置から前記カード情報を受信した場合には、該カード情報を前記決済センターのサーバに送信する手段と、
前記決済センターのサーバから前記カード情報に係わる決済情報を受信した場合には、該決済情報を前記通信部によって前記近距離無線通信インターフェースで携帯プリンタ装置に送信させる手段と
を有することを特徴とするカード決済通信システム、
［２］  少なくとも、荷物の集配にかかわる各種情報を送信可能な携帯用ＰＤＴ端末と、携帯電話機と、携帯プリンタ装置とからなる携帯システムで構成され、前記携帯用ＰＤＴ端末が携帯電話機を介して無線網でセンターのサーバとが通信を行うシステムであって、
前記携帯用ＰＤＴ端末、前記携帯電話機及び前記携帯プリンタ装置は、設定されたＩＰアドレスの相手とで近距離無線通信インターフェースで通信する第１の通信部をそれぞれ備えてなり、
前記携帯用ＰＤＴ端末は、
前記各種情報がカードで前記荷物の代金を支払うために前記サーバに送信して照会を受けるカード決済照会情報かどうかを判定し、該カード決済照会情報のときは、送信相手先を前記サーバのＩＰアドレスにした第１の上がり情報を生成する手段と、
前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、
前記第２の上がり情報を前記第１の通信部が受け取り可能な形式にした第３の上がり情報にして前記第１の通信部に送出する手段と、
前記第３の上がり情報に前記サーバのＩＰアドレスが含まれているときは、前記当該端末の第１の通信部に、前記携帯電話機のＩＰアドレスを設定し、また前記サーバから前記第３の上がり情報に対しての結果であるカード決済情報を前記当該端末の第１の通信部により受信したとき、該当該端末の第１の通信部に前記携帯プリンタ装置のＩＰアドレスを設定する手段と
を有し、
前記携帯プリンタ装置は、
前記カードの磁気データを読み取り可能なカードリーダを備え、
前記携帯電話機のＩＰアドレスを当該装置の前記第１の通信部に対して設定する手段と、
前記携帯用ＰＤＴ端末から当該装置の前記第１の通信部が前記カード決済の情報を受信したとき、前記カードリーダで読み込まれた前記磁気データに前記携帯用ＰＤＴ端末のＩＰアドレスを付加し、かつ前記当該装置の第１の通信部が読み取り可能な形式にして送出する手段と、
を有することを特徴とする携帯電話機を用いたカード決済通信システム、および
［３］  宅配業者のドライバーが荷送人からの荷物を荷受人に渡すときに、荷受人が荷物の代金をカードで決済するカード決済通信方法であって、
決済センターのサーバと携帯電話機とを、少なくともインターネット網又は携帯電話網を介して通信可能に接続し、さらに携帯電話機と、携帯可能なカードリーダおよび印刷機とを、近距離通信インターフェースで通信可能に接続した後、
前記カードリーダを用いて、前記荷受人のカードからカード情報を読み込み、ついで前記カード情報を前記携帯電話機に前記近距離通信インターフェースで送信する第１のステップと、
前記カードリーダから前記カード情報を前記携帯電話機が受信した後、前記携帯電話機を用いて、前記カード情報を前記決済センターのサーバに送信する第２のステップと、
前記決済センターのサーバから前記携帯電話機が前記決済情報を受信した後、前記携帯電話機を用いて、前記決済情報を前記近距離通信インターフェースで前記印刷機に送信する第３のステップと、
前記携帯電話機から前記決済情報を前記印刷機が受信した後、前記印刷機を用いて、前記決済情報の明細書を発行する第４のステップと
を行うことを特徴とするカード決済通信方法、
を要旨とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】変更
【補正の内容】
【００３３】
以上のように本発明によれば、携帯プリンタ、携帯電話機は、近距離無線通信インターフェースで無線通信を行う通信部を有して情報の送受を行い、センターとは携帯電話機の回線を用いて行うので、荷物のカード決済において、使用する費用がかかる網は少なくなるので、費用を抑えることができるという効果が得られている。
【手続補正２１】
【補正対象書類名】明細書
【補正対象項目名】００７７
【補正方法】変更
【補正の内容】
【００７７】
Ｂｌｕｅ  ｔｏｏｔｈと判定したときには、カード決済機能部３０ｄは、画面にＢｌｕｅ  ｔｏｏｔｈを用いてのカード決済であることをメッセージ表示し（ｄ２０）、再び送信ボタンが押下されたときに（ｄ２１）、カード決済照会要求情報（カード番号（カード会社の会社コード含む）、暗証番号、送り状番号、金額、支払い区分、有効期限）をデータ振分機能部４２、切換部４５、データフォーム変換部４３、Ｂｌｕｅ  ｔｏｏｔｈ部１６を介して携帯電話機１に送信する（ｄ２２）。
【手続補正２２】
【補正対象書類名】明細書
【補正対象項目名】００７８
【補正方法】変更
【補正の内容】
【００７８】
このカード決済照会要求情報は、携帯電話機１１に受信され（Ｂｌｕｅ  ｔｏｏｔｈ部１６）、この携帯電話機１１が携帯電話網、インターネット網の形式に変換して決済センター２１に専用回線２５を介して送信する（ｄ２３）。この送信は、好ましくは、データ量に応じて課金される網であるのが好ましい（例えばＤＯＰＡ網：登録商標）。
【手続補正２３】
【補正対象書類名】明細書
【補正対象項目名】０１３１
【補正方法】変更
【補正の内容】
【０１３１】
図９は本実施の形態３のシステムの概略構成図である。
【手続補正２４】
【補正対象書類名】明細書
【補正対象項目名】０１６２
【補正方法】変更
【補正の内容】
【０１６２】
【図１】実施の形態１の携帯電話機を用いた荷物の集配システムの概略構成図である。
【図２】実施の形態１の決済機能付きＰＤＴの概略構成図である。
【図３】実施の形態１の携帯プリンタ装置の概略構成図である。
【図４】実施の形態１の動作を説明するシーケンス図である。
【図５】実施の形態１の動作を説明するシーケンス図である。
【図６】実施の形態１の動作を説明するシーケンス図である。
【図７】実施の形態２の動作を説明するシーケンス図である。
【図８】実施の形態２の動作を説明するシーケンス図である。
【図９】実施の形態３の携帯電話機を用いたカード決済通信システムの概略構成図である。
【図１０】実施の形態３の動作を説明するシーケンス図である。
【図１１】その他の実施の形態のカード決済システムの概略構成図である。
【図１２】カード決済入力情報画面の説明図である。
【図１３】従来の宅配業者のドライバーの携帯品を説明する説明図である。